(57)【要約】【課題】出力音量が大きくても音漏れが良好に抑制されるイヤホンを提供する。【解決手段】内外を繋ぐ貫通孔(1f)を有するハウジング(1)と、貫通孔(1f)を覆う基部(3b)，基部(3b)からハウジング(1)の径方向外方に突出する突出部(3c)，及び基部(3b)において貫通孔(1f)に連通する第１の開口部(3d1)と突出部(3c)において開口する第２の開口部(3d2)とを繋ぐ通気路(3f)を有する当接部材(3)と、を備えた。【選択図】図２
2015195444.tif 000002
【特許請求の範囲】
【請求項１】
内外を繋ぐ貫通孔を有するハウジングを耳介内に収めて使用するイヤホンに設けられ、使用時に前記耳介の内壁に当接して前記イヤホンの装着姿勢を安定化させる当接部材であって、
前記貫通孔を覆う基部と、
前記基部から前記ハウジングの径方向外方に突出する突出部と、
前記基部において前記貫通孔に連通する第１の開口部と前記突出部において開口する第２の開口部とを繋ぐ通気路と、
を有することを特徴とする当接部材。
【請求項２】
内外を繋ぐ貫通孔を有するハウジングと、
前記貫通孔を覆う基部，前記基部から前記ハウジングの径方向外方に突出する突出部，及び前記基部において前記貫通孔に連通する第１の開口部と前記突出部において開口する第２の開口部とを繋ぐ通気路を有する当接部材と、
を備えたイヤホン。
【請求項３】
前記当接部材は、前記第２の開口部を複数有することを特徴とする請求項２記載のイヤホン。
【請求項４】
前記通気路は、曲線状の部分を含んで形成されていることを特徴とする請求項２又は請求項３記載のイヤホン。
【請求項５】
前記貫通孔は、バックキャビティと外部空間とを繋いでいることを特徴とする請求項２〜４のいずれか１項に記載のイヤホン。
【請求項６】
前記当接部材は、前記ハウジングに対する前記突出部の周方向位置を移動可能に備えられていることを特徴とする請求項２〜５のいずれか１項に記載のイヤホン。
【発明の詳細な説明】
【技術分野】
【０００１】
本発明は、当接部材及びイヤホンに係り、耳介の内側に装着される本体部を有するイヤホンとそれに備えられて装着状態で耳介の内壁に当接する当接部材とに関する。
【背景技術】
【０００２】
本体部を耳介の内側に収めるように装着し、本体部の放音面から外耳道に向け音を放出して使用するインナーイヤー型や、本体部を耳介の内側に収めるように装着し、さらに本体部から突出する音筒部をそれに装着されたイヤーピースと共に外耳道内に挿入して使用するカナル型と称されるタイプのイヤホンがある。
これらのイヤホンは、本体部の耳介への装着姿勢が安定する程、使用者が聴取する音声の品質が良好になる。
具体的には、本体部の装着姿勢が安定することで、インナーイヤー型では外耳道と放音面との位置関係が最適状態で維持され、カナル型ではイヤーピースによる外耳道内空間の密閉性が向上して、聴取音声品質が顕著に向上する。
【０００３】
そこで、インナーイヤー型やカナル型のイヤホンでは、本体部の耳介への装着姿勢をより安定化させるため、本体部よりも側方へ突出して耳介の内壁面に柔軟に当接する当接部材を設けたものが提供されている。その一例が特許文献１に記載されており、特許文献１において当接部材は耳介挿入体１６が該当する。
【先行技術文献】
【特許文献】
【０００４】
【特許文献１】特開２０１４−０４５５１４号公報
【発明の概要】
【発明が解決しようとする課題】
【０００５】
ところで、イヤホンは、スピーカユニットの動作効率を向上させると共に出力音を歪のより少ない音とするため、本体部内に形成されるスピーカユニットの後方側の空間（バックキャビティ）と外部空間とを連通してスピーカユニットの背圧を低減する通気路を設ける場合が多い。
通気路を有するイヤホンでは、出力音量を大きくすると、通気路から外部に漏出する音量も大きくなって公共の場所で抑制されるべき不快な音漏れが生じる可能性が高くなる。
特に、高品質の出力音が得られるよう当接部材を設けたイヤホンでは、本体部の耳介への装着姿勢がより安定するので、本体部内に収容するスピーカユニットを大型化できる。大型のスピーカユニットの搭載は、豊かな低音を伴う大音量出力が可能になる点で好ましいが、反面、その分、音漏れが生じる可能性が一段と高くなる。
そこで、当接部材を設けたイヤホンにおいて、出力音量を大きくしても音漏れが生じにくい工夫が望まれている。
【０００６】
そこで、本発明が解決しようとする課題は、出力音量が大きくても音漏れが良好に抑制される当接部材及びイヤホンを提供することにある。
【課題を解決するための手段】
【０００７】
上記の課題を解決するために、本発明は次の構成を有する。１）  内外を繋ぐ貫通孔(1f)を有するハウジング(1)を耳介(E)内に収めて使用するイヤホン(51)に設けられ、使用時に前記耳介(E)の内壁(Ef)に当接して前記イヤホン(51)の装着姿勢を安定化させる当接部材(3)であって、
前記貫通孔(1f)を覆う基部(3b)と、
前記基部(3b)から前記ハウジング(1)の径方向外方に突出する突出部(3c)と、
前記基部(3b)において前記貫通孔(1f)に連通する第１の開口部(3d1)と前記突出部(3c)において開口する第２の開口部(3d2)とを繋ぐ通気路(3f)と、
を有することを特徴とする当接部材(3)である。
２）  内外を繋ぐ貫通孔(1f)を有するハウジング(1)と、
前記ハウジング(1)よりも軟らかい材料で形成され、前記貫通孔(1f)を覆う基部(3b)，前記基部(3b)から前記ハウジング(1)の径方向外方に突出する突出部(3c)，及び前記基部(3b)において前記貫通孔(1f)に連通する第１の開口部(3d1)と前記突出部(3c)において開口する第２の開口部(3d2)とを繋ぐ通気路(3f)を有する当接部材(3)と、
を備えたイヤホン(51)である。
【発明の効果】
【０００８】
本発明によれば、出力音量が大きくても音漏れが良好に抑制される、という効果を奏する。
【図面の簡単な説明】
【０００９】
【図１】本発明のイヤホンの実施例であるイヤホン５１を説明するための斜視図である。
【図２】イヤホン５１を説明するための縦断面図である。
【図３】イヤホン５１の後ハウジング１Ｒの後面図である。
【図４】本発明の当接部材の実施例であるサポータ３を説明するための斜視図である。
【図５】イヤホン５１の耳介Ｅへの装着状態を説明するための図である。
【図６】サポータ３と耳介Ｅの内壁Ｅｆとの関係を説明するための模式的断面図である。
【図７】サポータ３の後ハウジング１Ｒに対する摺回動を説明するための模式的後面図である。
【図８】イヤホン５１の耳介Ｅへの他の装着状態を説明するための図である。
【図９】サポータ３の変形例１であるサポータ３１を説明するための斜視図である。
【図１０】サポータ３の変形例２であるサポータ３２を説明するための斜視図である。
【図１１】サポータ３２の組み立て図である。
【図１２】サポータ３の変形例３であるサポータ３４を説明するための斜視図である。
【図１３】サポータ３４の変形例を説明するための斜視図である。
【図１４】図１２におけるＳ３−Ｓ３位置での部分断面図である。
【発明を実施するための形態】
【００１０】
本発明の実施の形態に係る当接部材及びそれを備えたイヤホンを、好ましい実施例及び変形例により図１〜図１４を参照して説明する。
以下の説明において、上下左右前後の各方向を図１に示される矢印の方向に規定している。この方向は、使用状態の姿勢における方向等とは関係がなく、理解容易のため便宜的に規定したものである。
【００１１】
（実施例）
図１及び図２を参照して、実施例のイヤホン５１の構成を説明する。イヤホン５１は、左耳用のカナル型イヤホンである。
図１は、イヤホン５１の後方斜め左上方向から見た外観斜視図であり、図２は、イヤホン５１を、Ｓ１−Ｓ１位置で前後上下面にて切断して右方向から見た縦断面図である。
【００１２】
イヤホン５１は、前ハウジング１Ｆと後ハウジング１Ｒとが前後方向に組み合わされてなるハウジング１と、ハウジング１の内部に収容されたスピーカユニットＳＰと、ハウジング１から外方に引き出されたコード２と、ハウジング１に取り付けられたサポータ３と、を有している。サポータ３は、イヤホン５１のハウジング１を耳介Ｅに装着したときに、耳介Ｅの内壁Ｅｆに当接してハウジング１の装着姿勢を安定化させる当接部材である。
【００１３】
前ハウジング１Ｆには、前方（又は斜め左前方）に突出する筒状の音筒部１ａが形成されている。音筒部１ａは軸線に沿う貫通孔（図示せず）を有し外周面に着脱自在に柔軟なイヤーピース４が装着される。
後ハウジング１Ｒは、前ハウジング１Ｆと組み合わされる大径部１ｂと、大径部１ｂの後方側に連接された大径部１ｂより小径の小径部１ｃとを有している。
【００１４】
小径部１ｃにおける下方側には、コード２が挿通されるコード孔１ｄが形成されている。コード孔１ｄは、コード２が挿通されることで実質的に塞がれている。
大径部１ｂと小径部１ｃとを繋ぐ接続面１ｅは、この例ではスピーカユニットＳＰの駆動軸線ＣＬに直交する面として形成されている。
接続面１ｅには、一つ又は周方向に離隔する複数の貫通孔１ｆが形成されている。図２には、上下二つの貫通孔１ｆが示されている。
【００１５】
ハウジング１の内部には、小径部１ｃの内面１ｃ１と、スピーカユニットＳＰの後面ＳＰａと、に囲まれて、スピーカユニットＳＰの後方空間であるバックキャビティＶａが形成されている。
バックキャビティＶａと外部空間とを繋ぐ孔は、コード孔１ｄ及び貫通孔１ｆのみである。ここで、コード孔１ｄは実質封止されているので、貫通孔１ｆが、バックキャビティＶａと外部空間とを連通する通気路として機能する。
【００１６】
バックキャビティＶａには、コード２の一端側に形成された結び玉２ａが収められている。コード２の先端はスピーカユニットＳＰの後面ＳＰａに設けられた端子に接続されている（図２において端子及び接続態様は省略）。
【００１７】
前ハウジング１Ｆ及び後ハウジング１Ｒは、樹脂で形成されている。樹脂は例えば、ＡＢＳ（アクリロニトリル・ブタジエン・スチレン）やＰＣ（ポリカーボネート）である。
【００１８】
図３は、後ハウジング１Ｒの後面図であり、貫通孔１ｆの形成態様の一例を示した図である。
この例では、接続面１ｅの上半分側において、貫通孔１ｆは、真上方向の貫通孔１ｆａと、それに対して時計回り及び反時計回りにそれぞれ２２．５°ピッチでそれぞれ三個、の合計七個が形成されている。
接続面１ｅの下半分側にも、上半分側と対称に貫通孔１ｆが七個形成されており、接続面１ｅには合計十四個の貫通孔１ｆが形成されている。
【００１９】
上述の構成において、スピーカユニットＳＰの振動板ＳＰｂの振動により前方に放出された出力音は、スピーカユニットＳＰと前ハウジング１Ｆとに囲まれた空間であるフロントキャビティＶｃから音筒部１ａの貫通孔を通り、その先端の音孔（図示せず）から外部に放出される。
スピーカユニットＳＰから後方に放出された音ＳＤは、バックキャビティＶａを経て、貫通孔１ｆから外部空間へと向かう。
【００２０】
イヤホン５１では、この貫通孔１ｆから外部空間への音ＳＤの放出を、サポータ３を介して行うようになっている。
次に、サポータ３について詳述する。
【００２１】
図４は、サポータ３の斜視図であり、図１における前方斜め左上から見たものに相当する。
サポータ３は、後ハウジング１Ｒの小径部１ｃに若干の強嵌合で嵌め込むことができる嵌合孔３ａを有するリング状の基部３ｂと、基部３ｂから径方向外方に突出した突出部３ｃと、を有する。
サポータ３は、弾性を有しハウジング１よりも軟らかい材料で形成されている。材料例は、シリコーンゴムやエラストマである。
【００２２】
突出部３ｃは薄板状であり、最も突出した頂部３ｃ１と嵌合孔３ａの中心Ｃａとを繋ぐ線分ＬＮａを内部に含むように概ね三角形状に形成されている。
突出部３ｃにおける線分ＬＮａに対する一方側（図４の左方側）の側縁部３ｃ２は、外方に凸となる弓型状を呈し、他方側（図４の右方側）の側縁部３ｃ３は、内側に凹となる逆弓型状を呈している。
【００２３】
突出部３ｃの内部には、その一面側（図４では手前側）おける嵌合孔３ａに近い位置に形成された開口部３ｄ１と、頂部３ｃ１に形成された開口部３ｄ２と、を繋ぐ通気路３ｆが形成されている。
詳しくは、通気路３ｆは、開口部３ｄ１から嵌合孔３ａの軸線方向に沿って突出部３ｃの厚みの中央部位まで形成された通気路３ｅ１（図２も参照）と、通気路３ｅ１の最奥部と開口部３ｄ２とを繋ぎ線分ＬＮａに沿って形成された通気路３ｅ２と、により形成されている。
【００２４】
図２に示されるように、サポータ３は、基部３ｂが、接続面１ｅと密着する小径部１ｃの奥まで嵌め込まれて貫通孔１ｆを覆うように取り付けられる。
そして、サポータ３を、頂部３ｃ１が真上となる周方向位置（線分ＬＮａが上下方向となる位置）にしたときに、開口部３ｄ１と複数の貫通孔１ｆの内の最も上方に位置する貫通孔１ｆａとの位置が合致し、両者が連通するようになっている。
【００２５】
このようなサポータ３を備えたイヤホン５１は、使用時において、図５に示されるような装着姿勢で耳介Ｅに装着される。
すなわち、装着姿勢において、イヤーピース４が外耳道内に挿入される（図示せず）。コード２は、耳介Ｅの耳珠Ｅａと対耳珠Ｅｂとの間の珠間切痕Ｅｃから下方に引き出される。サポータ３は、側縁部３ｃ２が、耳甲介Ｅｄの後方側の壁面Ｅｅに柔軟に当接する。
サポータ３と壁面Ｅｅとの当接は、点当接ではなく側縁部３ｃ２との面当接であり、さらに、当接位置がハウジング１から径方向に離れた位置にあるため、イヤホン５１の装着姿勢は、高度に安定する。
【００２６】
上述のイヤホン５１の構成及び耳介Ｅにおける装着姿勢によれば、図２にも示されるように、スピーカユニットＳＰから後方に放出された音ＳＤは、バックキャビティＶａから後ハウジング１Ｒの貫通孔１ｆを経て、サポータ３の開口部３ｄ１から通気路３ｆに進入する。
通気路３ｆに進入した音は、通気路３ｅ１から通気路３ｅ２を経て、頂部３ｃ１の開口部３ｄ２から外部に放出する。
【００２７】
サポータ３の通気路３ｆを通過する音は、その通過過程でエネルギがサポータ３に吸収され減衰する。特に、サポータ３が弾性を有する軟らかい材料で形成されていることで、エネルギ減衰はより効果的となる。
また、通気路３ｆは、嵌合孔３ａの近傍から頂部３ｃ１の先端までの、サポータ３の内部で直進路として取り得る最長又は最長に匹敵する経路で形成されている。従って、音ＳＤのエネルギの内の多くが、通気路３ｆの内壁を介してサポータ３に吸収される。
【００２８】
図６に示されるように、イヤホン５１の装着姿勢において、頂部３ｃ１の開口部３ｄ２は耳介Ｅの内壁Ｅｆと対向し、かつ離隔した位置にある。図６は、図５におけるＳ２−Ｓ２位置での模式的断面図である。
通気路３ｆを進行した音ＳＤは、開口部３ｄ２が内壁Ｅｆと離隔していることから開口部３ｄ２から外部空間に放出され、その後、内壁Ｅｆに衝突する。この衝突において、音ＳＤは、内壁Ｅｆが皮膚で軟らかく表面に微細な凹凸があるため、乱反射すると共にエネルギが内壁Ｅｆ側に吸収される。
音ＳＤの、通気路３ｆの通過及び内壁Ｅｆでの反射に伴うエネルギ減衰は、特に中高音域において顕著である。
【００２９】
このように、スピーカユニットＳＰから後方に出力された音ＳＤは、そのエネルギがサポータ３で吸収されて小さい音として外部空間に放出される。そして、外部空間に放出された後も、残存エネルギはさらに耳介Ｅの内壁Ｅｆでも吸収され、内壁Ｅｆで反射した音は、極めて小さい音になっている。特に低域において効果的である。
これにより、音ＳＤが他の人に聞こえる際には、十分小さい音になっており、音漏れは極めて良好に抑制される。
【００３０】
上述の構成において、サポータ３は、後ハウジング１Ｒの小径部１ｃに対して強嵌合であるものの、周方向に摺動して回動させることができる。
すなわち、耳介Ｅの形状には個人差があるため、サポータ３の位置を、装着姿勢がより安定するように周方向に回動させて好ましい位置に設定することができる。
上述の例では、図３及び図７から明らかなように、サポータ３を後面視で時計回りに２２．５°ピッチで回動させて貫通孔１ｆと通気路３ｆとを繋げることで、音漏れの抑制効果を発揮させることができる。
図７では、４５°回動させた位置Ｐ１及び反時計回りに４５°回動させた位置Ｐ２が示されている。さらに、位置Ｐ２から反時計回りに９０°回動させて貫通孔１ｆと通気路３ｆとを繋げた位置Ｐ３も示されている。
【００３１】
イヤホン５１は、図５に示された装着姿勢とは別の、図８に示される装着姿勢で耳介Ｅに装着することができる。
図８に示される装着姿勢は、イヤホン５１の姿勢を、コード２が斜め上方に引き出されて耳介Ｅの外側に、頭部前方から後方に渡って掛けるようにしたものである。
この装着姿勢において、サポータ３は、例えば、貫通孔１ｆｂ(図３参照）と通気路３ｆとを繋げた位置（位置Ｐ２に対して反時計回りに６７．５°回動させた位置）にある。
【００３２】
接続面１ｅに設けられた貫通孔１ｆの周方向の角度間隔を狭くすることで、貫通孔１ｆと通気路３ｆとを繋げることができるサポータ３の周方向位置を、細かくより多段階に設定することができる。
これにより、サポータ３の周方向位置を細かく調整して、装着する耳介Ｅの形状により適合した装着姿勢が得られる。従って、イヤホン５１の装着性がより向上する。
【００３３】
この小径部１ｃに対するサポータ３の摺回動において、凹凸係合によりクリック感を持たせてもよい。貫通孔１ｆと通気路３ｆとが繋がる位置で、クリック感が得られるようにすれば、サポータ３の周方向位置を精度よく確実に決めることができる。凹凸係合は、小径部１ｃを有する後ハウジング１Ｒ側とサポータ３側とのどちらを凸にしてもよいが、硬質の後ハウジング１Ｒ側を凸とし軟質のサポータ３側を凹とすると、係合位置がより高精度に得られ耐久性が優れるのでよりよい。
【００３４】
サポータ３を、貫通孔１ｆと開口部３ｄ１とが対応しない位置（非連通の位置）にすると、スピーカユニットＳＰから後方に出力された音ＳＤが、外部空間に全く放出されないようにできる。この位置において、例えば凹凸係合などによるクリック感が得られるようにすれば、サポータ３をより確実に位置決めすることができる。この位置では、音ＳＤは外部空間に全く放出されず、音漏れがほぼ完全に遮断されるので、音質よりも音漏れ防止が優先される使用環境において特に効果的である。
【００３５】
本発明の実施例は、上述した構成に限定されるものではなく、本発明の要旨を逸脱しない範囲において変形例としてもよい。
【００３６】
（変形例１）
サポータ３に、周方向に延在する溝を形成し、その底面にサポータ３の開口部３ｄ１を開口させるようにした変形例１のサポータ３１としてもよい。
図８は、サポータ３１を説明するための斜視図であり、図３に対応する図である。
【００３７】
サポータ３１は、サポータ３に対し、貫通孔１ｆに対応する径方向位置に、所定の角度θａの範囲で周方向に延在する溝部３１ｄ１を有するものである。
溝部３１ｄ１には、サポータ３における通気路３ｅ２に相当する通気路３１ｅ１が連通する。
通気路３１ｅ１と頂部３１ｃ１に形成された開口部３１ｄ２とが、通気路３１ｅ２により連通される。
通気路３１ｅ１，通気路３１ｅ２，及び溝部３１ｄ１により、通気路３ｆが構成される。
【００３８】
サポータ３１によれば、貫通孔１ｆが所定の角度θａの範囲内に対応する位置にあれば、小径部１ｃに対する周方向位置を任意に設定することができる。
これにより、使用者の耳介形状により適合した装着姿勢をとりつつ、音ＳＤを、貫通孔１ｆから溝部３１ｄ１を通気路３１ｆの一部として介して開口部３１ｄ２に誘導し、内壁Ｅｆに向け放出することができる。
【００３９】
（変形例２）
サポータ３において、通気路３ｆは、その経路長が長いほど音ＳＤのエネルギがより多く減衰するので好ましい。
この観点から、通気路３ｆを直線状ではなく曲線状部を含んだ形状で形成して変形例２としてもよい。
図９及び図１０は、曲線状の通気路３２ｆを有する変形例２のサポータ３２を説明するための図である。図９は斜視図であり、図１０は組み立て図である。
【００４０】
サポータ３２は、サポータ３及びサポータ３１で直線状とされた通気路３ｆ，３１ｆを曲線状部を含む通気路３２ｆとしたものである。詳しくは、嵌合孔３２ａの近傍に設けられ貫通孔１ｆに対応した径方向位置に設けられた開口部３２ｄ１と、突出部３２ｃの頂部３２ｃ１に設けられた開口部３２ｄ２とを、曲線状に形成された通気路３２ｅ２で繋ぎ、通気路３２ｆとしたものである。この例では、通気路３２ｅ２を蛇行する通気路として形成している。
【００４１】
これにより、通気路３２ｆは、直線状の通気路３ｆ，３１ｆよりも経路長が長くなるので、通気路３２ｆを通過する音ＳＤの減衰がより顕著になり、音漏れがより良好に抑制される。
【００４２】
サポータ３２は、例えば図１０に示されるように形成される。
具体的には、サポータ３２を厚さ方向に二分割したサポータ片３３ａとサポータ片３３ｂとを作成し、両部材を接着剤などで固着する。
サポータ片３３ａには、開口部３２ｄ１を貫通孔として設け、サポータ片３３ｂには、開口部３２ｄ１に対応した位置を含んで抉られた溝部３２ｅ３を形成しておく。溝部３２ｅ３の断面形状は限定されない。
【００４３】
サポータ片３３ａとサポータ片３３ｂとを合わせて一体化することで、溝部３２ｅ３は開口部３２ｄ１，３２ｄ２以外が閉じられて蛇行する通気路３２ｅ２（通気路３２ｆ）となる。
【００４４】
（変形例３）
実施例のサポータ３は、その側面に開口する開口部３ｄ２を頂部３ｃ１にのみ設けたものである。
個人差の大きい耳介Ｅの形状によっては、サポータ３を小径部１ｃに対し摺回動させて良好な装着感が得られる位置にした状態で、頂部３ｃ１が耳介Ｅの内壁Ｅｆに覆われて開口部３ｄ２が塞がれてしまう場合もあり得る。
【００４５】
そこで、図１１に示されるように、開口部３ｄ２を、突出部３ｃの側面の異なる位置に複数形成したサポータ３４にするとよい。
この変形例３のサポータ３４は、頂部３４ｃ１に設けられた開口部３４ｄ２に加えて、側面が凸曲面となる側縁部３４ｃ２に複数（この例において二つ）の開口部３４ｄ３，３４ｄ４が形成され、側面が凹曲面となる側縁部３４ｃ３に一つの開口部３４ｄ５が形成されている。
そして、開口部３４ｄ１と、開口部３４ｄ２〜３４ｄ５と、を繋ぐ通気路３４ｆが形成されている。
【００４６】
図１１に示された例では、通気路３４ｆは、開口部３４ｄ１と開口部３４ｄ２とを繋ぐ通気路３４ｅ２と、通気路３４ｅ２と開口部３ｄ３〜３ｄ５のそれぞれとを繋ぐ通気路３４ｅ３〜３４ｅ５と、により構成されている。
通気路３４ｆは、この構成に限定されるものではない。ハウジング１の貫通孔１ｆに接続する開口部３４ｄ１に繋がる通路であれば、通気路の態様は自由に設定できる。
【００４７】
このサポータ３４は、頂部３４ｃ１と、頂部３４ｃ１を挟んで一方側の側縁部３４ｃ２と、他方側の側縁部３４ｃ３と、のそれぞれに開口部を有している。
これにより、装着姿勢や耳介Ｅの形状がいかなる場合にもすべての開口部が耳介Ｅの内壁Ｅｆに塞がれることは実質的になく、音漏れが良好に抑制される。
【００４８】
サポータ３４のように開口部を複数備えている場合、パスカルの原理から、スピーカユニットＳＰの後方に出力された音ＳＤによる開口部３４ｄ１における圧力と開口部３４ｄ２〜３４ｄ５それぞれにおける分圧の合計圧力とが等しくなる。
これにより、開口部３４ｄ２〜３４ｄ５のそれぞれから外部に放出する音の圧力が減少し、開口部が一つの場合よりも音漏れを減少させることができる。
つまり、開口部の数が多いほど、それぞれの開口部からの音漏れをより減少させることができる。
【００４９】
（変形例３の変形例）
サポータ３などにおいて、音ＳＤを通気路３ｆに導入する開口部３ｄ１は、丸孔状に限定されない。角孔状であってもよい。
サポータ３４において、側縁部３４ｃ２から頂部３４ｃ１を経て側縁部３４ｃ３に至る突出部３４ｃの側面に、各開口部３４ｄ２〜３４ｄ５に連通する溝部３４ｇを形成してもよい。
【００５０】
図１２は、サポータ３４の頂部３４ｃ１及び側縁部３４ｃ２の一部を斜視的にみた部分斜視図であり、図１３は図１２におけるＳ３−Ｓ３位置での部分断面図である。
溝部３４ｇは、例えば断面形状が底部３４ｇ１を有する角形とされ、底部３４ｇ１に開口部３４ｄ２〜３４ｄ５が開口している。
溝部３４ｇを設けることで、図１３に示されるように、装着姿勢において、側縁部３４ｃ２が耳介Ｅの内壁Ｅｆに密着する場合でも、開口部３４ｄ２などが塞がれることがない。
また、開口部３４ｄ２などから放出された音ＳＤは、溝部３４ｇと内壁Ｅｆとに囲まれた狭い空間Ｖｂに放出される。
【００５１】
これにより、音ＳＤは空間Ｖｂを伝播する間に、エネルギが内壁Ｅｆと突出部３４ｃとの両方により良好に吸収され、空間Ｖｂを経て外部空間へ放出した際の音は極めて小さくなっている。
そのため、装着姿勢や耳介Ｅの形状によらず音漏れがより確実に、またより良好に抑制される。
【００５２】
（他の変形例）
例えば、小径部１ｃに対するサポータ３の摺回動において、凹凸係合によりクリック感を持たせてもよい。貫通孔１ｆと通気路３ｆとが繋がる位置で、クリック感が得られるようにすれば、サポータ３の周方向位置を精度よく確実に決めることができる。凹凸係合は、硬質の後ハウジング１Ｒ側を凸とし、軟質のサポータ３側を凹とするとよい。
この構成は、変形例１〜３に適用してよい。
ハウジング１は、前ハウジング１Ｆ及び後ハウジング１Ｒの二つの部材を組み合わせで形成されるものに限定されない。一つの部材あるいは三つ以上の部材で構成されていてもよい。
サポータ３は、ハウジング１に強嵌合で取り付けられるものに限定されない。取り付け形態は自由である。
貫通孔１ｆは、バックキャビティＶａと外部空間とを連通するものでなくてもよい。
イヤホン５１の音響特性上、フロントキャビティＶｃと外部空間とを連通するものであってもよい。
本発明の当接部材は、弾性を有し、その当接部材が備えられたイヤホンの装着状態で耳介の内壁Ｅｆに当接し、ハウジング１の内部空間と外部空間とを連通する通気路を有し、その通気路の出口が装着状態で耳介に離隔して対向する位置に設けられている。
【００５３】
突出部に設けられる開口部は、耳介Ｅの内壁Ｅｆと対向し、かつ離隔した位置にあればよい。
【００５４】
上述したイヤホン５１は、左耳用として説明したが、左右対称形状なる右耳用であってもよい。
突出部３ｃの形状は、略三角形状に限定されない。また、一部がくり抜かれて枠状とされていてもよい。枠状の場合、通気路は枠の中を通り、枠の外側面に開口するように形成するとよい。
イヤホン５１は、カナル型に限定されない。インナーイヤー型であってもよくそれ以外の型であってもよい。
上述の実施例及び各変形例は、可能な範囲で互いに組み合わせてよい。
【符号の説明】
【００５５】
１  ハウジング、    １Ｆ  前ハウジング、    １Ｒ  後ハウジング
１ａ  音筒部、    １ｂ  大径部、    １ｃ  小径部、    １ｃ１  内面
１ｄ  コード孔、    １ｅ  接続面、    １ｆ  貫通孔
２  コード、    ２ａ  結び玉
３，３１，３２，３４  サポータ
３ａ，３２ａ  嵌合孔、    ３ｂ  基部、    ３ｃ，３２ｃ，３４ｃ  突出部
３ｃ１，３１ｃ１，３２ｃ１，３４ｃ１  頂部
３ｃ２，３ｃ３，３４ｃ２，３４ｃ３  側縁部
３ｄ１，３ｄ２，３２ｄ１，３２ｄ２，３４ｄ２〜３４ｄ５  開口部
３ｅ１，３ｅ２，３ｆ，３１ｅ１，３１ｅ２，３１ｆ，３２ｆ，３２ｅ２，３４ｆ  通気路、    ３１ｄ１，３２ｅ３，３４ｇ  溝部
３３ａ，３３ｂ  サポータ片、    ３４ｇ１  底部
４  イヤーピース
５１  イヤホン
Ｃａ  中心、    ＣＬ  駆動軸線
Ｅ  耳介
Ｅａ  耳珠、    Ｅｂ  対耳珠、    Ｅｃ  珠間切痕、    Ｅｄ  耳甲介
Ｅｅ  壁面、    Ｅｆ  内壁
ＬＮａ  線分
ＳＤ  （スピーカユニットＳＰから出力された）音
ＳＰ  スピーカユニット、    ＳＰａ  後面、    ＳＰｂ  振動板
Ｖａ  バックキャビティ、    Ｖｂ  空間、    Ｖｃ  フロントキャビティ
θａ  角度
【図１】
2015195444.tif 000003
【図２】
2015195444.tif 000004
【図３】
2015195444.tif 000005
【図４】
2015195444.tif 000006
【図５】
2015195444.tif 000007
【図６】
2015195444.tif 000008
【図７】
2015195444.tif 000009
【図８】
2015195444.tif 000010
【図９】
2015195444.tif 000011
【図１０】
2015195444.tif 000012
【図１１】
2015195444.tif 000013
【図１２】
2015195444.tif 000014
【図１３】
2015195444.tif 000015
【図１４】
2015195444.tif 000016